(57)【要約】【課題】  着用者との間に隙間が生じることがなく、隙間からの尿等の漏れを抑制することができ、紐に着用者の手足が引っかかるのを防止することができる着用物品を提供する。【解決手段】  おむつ１の後ウエスト域６にウエスト紐４０を形成し、ウエスト紐４０の第１紐部４１と第２紐部４２とを互いに結んで、おむつ１を身体側に密着させる。おむつ１の前ウエスト域５の着衣側にはカバー６０が形成され、カバー６０は、カバー折返し線６１に沿って外面シート２２を折り曲げることによって形成される。カバー６０の反対外面には、メカニカルファスナのフック６２が形成され、前ウエスト域５の外面シート２２には、メカニカルファスナのループ６３が形成され、これらフック６２とループ６３とが着脱可能となって係合部を形成している。【選択図】図１
2010082257.tif 000002
【特許請求の範囲】
【請求項１】
縦方向および横方向と、身体側およびその反対外側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品において、
前記第２ウエスト域の前記反対外側には、前記ウエスト紐の少なくとも一部を覆うカバーが形成され、
前記カバーは、前記シャーシと一体的に連なる連続部と、前記シャーシから離間可能な離間部と、前記離間部と前記シャーシとを係合可能な係合部とを含むことを特徴とする前記着用物品。
【請求項２】
前記カバーは、前記横方向に延びるカバー前後端縁を含み、前記カバー前後端縁のいずれか一方が前記連続部を形成し、いずれか他方が前記離間部を形成する請求項１記載の着用物品。
【請求項３】
前記カバーは、前記シャーシと同一の材料によって一体的に連続して形成され、前記第２ウエスト域に形成され前記横方向に延びるカバー折曲線によって区画される請求項１または２に記載の着用物品。
【請求項４】
前記カバーは、第２ウエスト域の一部を前記シャーシから離間可能とさせるカバー切断線によって形成される請求項１〜３のいずれかに記載の着用物品。
【請求項５】
前記シャーシは、前記縦方向に延びるシャーシ両側縁と、前記横方向に延びるとともに前記第１ウエスト域に位置する第１端縁および前記第２ウエスト域に位置する第２端縁とを含み、
前記ウエスト紐は、前記シャーシ両側縁の各々に位置し、これらウエスト紐を互いに係合させるとともに、この係合部分の前記反対外側に前記カバーが位置する請求項１〜４のいずれかに記載の着用物品。
【請求項６】
前記ウエスト紐は、前記縦方向に離間する複数の紐部を含む請求項１〜５のいずれかに記載の着用物品。
【請求項７】
前記第２ウエスト域の前記反対外側には、前記ウエスト紐を保持する紐保持部が形成される請求項１〜６のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等に取り付け可能な着用物品に関する。
【背景技術】
【０００２】
従来、紙おむつのおむつ本体を背側から股下を通って腹側へとあてがい、このおむつ本体を着用者の身体に紐で結んで固定させるいわゆる「越中ふんどし」のようなタイプのものとして、例えば、特開２００７−２８３００７号公報（特許文献１）が公知である。この特許文献１において、紐は、おむつ本体の両側に沿って切断して形成される。切断線は、一端から他端近傍まで形成され、他端では、完全に切断されることがない。したがって、紐は他端でおむつ本体に接続されたまま形成される。
【特許文献１】特開２００７−２８３００７号公報
【発明の開示】
【発明が解決しようとする課題】
【０００３】
着用者が歩いたりして腰回りを動かしたときや、排尿等によって股下部分が重くなったときには、おむつ本体が股下側に向かって下がるようにずれてしまうことがある。おむつがずれると着用者との脚回りの間、特におむつと着用者の鼠蹊部の間に隙間ができ、この隙間から尿等が漏れるという問題があった。
さらに、紐は背側から腹側へと回して結ぶようにしているので、これら紐に着用者の手足が引っかかりやすいという問題もあった。
【０００４】
この発明では、着用者との間に隙間が生じることがなく、隙間からの尿等の漏れを抑制することができ、紐に着用者の手足が引っかかるのを防止することができる着用物品を提供することを課題とする。
【課題を解決するための手段】
【０００５】
この発明は、縦方向および横方向と、身体側およびその反対外側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品の改良に関わる。
【０００６】
この発明は前記着用物品において、前記第２ウエスト域の前記反対外側には、前記ウエスト紐の少なくとも一部を覆うカバーが形成され、前記カバーは、前記シャーシと一体的に連なる連続部と、前記シャーシから離間可能な離間部と、前記離間部と前記シャーシとを係合可能な係合部とを含むことを特徴とする。
【０００７】
好ましい実施態様のひとつとして、前記カバーは、前記横方向に延びるカバー前後端縁を含み、前記カバー前後端縁のいずれか一方が前記連続部を形成し、いずれか他方が前記離間部を形成する。
【０００８】
好ましい他の実施態様のひとつとして、前記カバーは、前記シャーシと同一の材料によって一体的に連続して形成され、前記第２ウエスト域に形成され前記横方向に延びるカバー折曲線によって区画される。
【０００９】
好ましい他の実施態様のひとつとして、前記カバーは、第２ウエスト域の一部を前記シャーシから離間可能とさせるカバー切断線によって形成される。
【００１０】
好ましい他の実施態様のひとつとして、前記シャーシは、前記縦方向に延びるシャーシ両側縁と、前記横方向に延びるとともに前記第１ウエスト域に位置する第１端縁および前記第２ウエスト域に位置する第２端縁とを含み、前記ウエスト紐は、前記シャーシ両側縁の各々に位置し、これらウエスト紐を互いに係合させるとともに、この係合部分の前記反対外側に前記カバーが位置する。
【００１１】
好ましい他の実施態様のひとつとして、前記ウエスト紐は、前記縦方向に離間する複数の紐部を含む。
【００１２】
好ましい他の実施態様のひとつとして、前記第２ウエスト域の前記反対外側には、前記ウエスト紐を保持する紐保持部が形成される。
【発明の効果】
【００１３】
着用物品のウエスト紐に対して、その反対外側から覆うカバーを形成することとしたので、着用者が紐に引っかかったりするのを防止することができる。カバーの離間部を係合部材でシャーシに係合し、カバーとシャーシとの間でウエスト紐を保持することができるので、おむつがずり下がるのを規制することができる。したがって、おむつのずり下がりによる尿漏れ等を抑制することができる。
【発明を実施するための最良の形態】
【００１４】
着用物品として使い捨ておむつを用い、この発明の一例を説明する。
【００１５】
＜第１の実施形態＞
図１はおむつ１の着用状態を示した斜視図であって、カバー６０をシャーシ２０に係合する前の図、図２は図１のカバー６０をシャーシ２０に係合した図、図３はおむつ１を展開した状態の平面図であって、身体側から見たときの図、図４はおむつ１を展開した状態であって、身体側の反対外側である着衣側から見たときの図である。図３および図４では、説明のためおむつ１に皺が発生しない状態すなわち弾性部材を収縮させない状態を示している。
【００１６】
おむつ１は、着用者の腹側から背側に向かう縦方向Ｙと、縦方向Ｙに直交する横方向Ｘとを含み、横方向Ｘの寸法を二等分する縦中心線Ｐ−Ｐと、縦方向Ｙの寸法を二等分する横中心線Ｑ−Ｑとを含む。おむつ１はシャーシ２０と、吸液構造体３０と、ウエスト紐４０と、カバー６０とを含む。シャーシ２０は、縦方向Ｙの前後に位置する前ウエスト域５、後ウエスト域６、これらウエスト域５，６の間に位置するクロッチ域７を含み、後ウエスト域６を第１ウエスト域、前ウエスト域５を第２ウエスト域としている。
【００１７】
シャーシ２０は、身体側に位置し透液性を有する内面シート２１と、身体側の反対外側である着衣側に位置し不透液性を有する外面シート２２とを含み、これら内外面シート２１，２２は縦方向Ｙに延びる略矩形を有し、縦方向Ｙと横方向Ｘとに関して外面シート２２よりも内面シート２１が小さく、外面シート２２の両側縁および前後端縁が内面シート２１の内面両側縁２１ａ，２１ｂおよび内面前後端縁２１ｃ，２１ｄから縦方向Ｙおよび横方向Ｘ外側に延出している。このようなシャーシ２０は、外面シート２２によって縦方向Ｙに延びるシャーシ両側縁２３，２４と、横方向Ｘに延びるシャーシ前後端縁２５，２６とを形成している。この発明の第１端縁がシャーシ後端縁２６に相当し、第２端縁がシャーシ前端縁２５に相当する。
【００１８】
前ウエスト域５の着衣側には、カバー６０が形成されている。カバー６０は、カバー折返し線６１に沿って外面シート２２を折り曲げることによって形成される。カバー折返し線６１は、内面シート２１からシャーシ前端縁２５側に延出した外面シート２２に形成され、横方向Ｘに延びている。
【００１９】
図３に示したように、内外面シート２１，２２の間には、吸液構造体３０が形成されている。吸液構造体３０は、フラッフパルプ等によって形成される吸液性芯材３１と、吸液性芯材３１を覆うティッシュペーパ等の液拡散シート３２と、液拡散シート３２と外面シート２２との間に配置されシャーシ２０への尿等の漏れを防止するための漏れ防止シート３３とを含む。吸液構造体３０は、少なくともクロッチ域７に位置し、クロッチ域７から前後ウエスト域５，６へと縦方向Ｙに延びている。吸液構造体３０は、横中心線Ｑ−Ｑ近傍において、縦中心線Ｐ−Ｐに向かって湾曲し、この湾曲部分を着用者の鼠蹊部に位置させることによって、おむつ１が着用者の脚回りに密着可能としている。吸液構造体３０は、縦方向Ｙに延びる吸液両側縁３４，３５と、横方向Ｘに延びる吸液前後端縁３６，３７とを含む。これら吸液両側縁３４，３５および吸液前後端縁３６，３７から、内面シート２１の内面両側縁２１ａ，２１ｂおよび内面前後端縁２１ｃ，２１ｄが延出し、吸液構造体３０が内面シート２１で覆われる構成にしている。
【００２０】
一対のウエスト紐４０は、シャーシ側縁２３，２４にそれぞれ位置し、横方向Ｘの内側に位置する第１紐部４１と、外側に位置する第２紐部４２とを含む。第１および第２紐部４１，４２は、外面シート２２の一部によって形成されている。すなわち、外面シート２２は、一枚の繊維不織布から形成され、その横方向Ｘの両端部を、紐折返し線２８に沿って身体側に向かって折り返し、折返し部２９を形成している。これら折返し部２９に、第１および第２紐部４１，４２を形成している。第１および第２紐部４１，４２は、縦方向Ｙに延びるとともに横方向Ｘに離間する内外側切断線４３，４４によって、外面シート２２および折返し部２９を切断することによって形成される。
【００２１】
内側切断線４３は、前端４３ａがシャーシ前端縁２５に接触し、後端４３ｂがシャーシ後端縁２６とは離間している。外側切断線４４は、前後端４４ａ，４４ｂのいずれもがシャーシ前後端縁２５，２６と離間している。すなわち、第１および第２紐部４１，４２は、後ウエスト域６でシャーシ２０と接続して基端縁４５を形成し、その反対側で内側切断線４３によってシャーシ２０とは切り離され、自由端縁４６を形成している。このような第１および第２紐部４１，４２は、基端縁４５および自由端縁４６では、互いに切断されることなく、一体化されている。
【００２２】
内側切断線４３は、シャーシ後端縁２６から後端４３ｂまでの離間距離が、外側切断線４４のシャーシ後端縁２６から後端４４ｂまでのそれよりも長くなっている。言い換えれば、外側切断線４４の方がシャーシ後端縁２６側に深い切込みを有している。後端４３ｂおよび後端縁４４ｂは、いずれも吸液後端縁３７とシャーシ後端縁２６との間に位置するように形成される。
【００２３】
第１および第２紐部４１，４２には、これらを伸縮可能に弾性化する第１および第２紐弾性部材４７，４８を縦方向Ｙに伸長状態で取り付けている。第１および第２紐弾性部材４７，４８は、第１および第２紐部４１，４２に対してそれぞれその両側に２本ずつ配置され、紐折返し部２９と外面シート２２との少なくともいずれか一方に接合される。第１および第２紐部４１，４２は、基端縁４５および自由端縁４６では弾性化されないように、それら基端縁４５および自由端縁４６を除く部分において取り付けられている。
【００２４】
内側切断線４３よりも横方向Ｘの内側であって、内側切断線４３と吸液側縁３４，３５それぞれとの間には、レッグ弾性部材２７を縦方向Ｙに伸長状態で取り付け、シャーシ２０のシャーシ側縁２３，２４を伸縮可能に弾性化している。レッグ弾性部材２７は、折返し部２９と外面シート２２との間に取り付けられ、それら少なくともいずれか一方に接合される。レッグ弾性部材２７は、少なくともクロッチ域７に位置し、この実施形態では、クロッチ域７から前後ウエスト域５，６へと縦方向Ｙに延びている。
【００２５】
シャーシ側縁２３，２４が内側切断縁４３で切断されることによって、カバー６０のカバー両側縁を形成している。また、カバー６０は、横方向Ｘに延びるカバー前後端縁６４，６５を含み、このカバー前端縁６４はシャーシ前端縁２５によって形成され、カバー後端縁６５は外面シート２２のカバー折返し線６１によって形成される。すなわち、カバー６０は、内側切断線４３とカバー折返し線６１と、シャーシ前端縁２５によって形成され、外面シート２２は、カバー折返し線６１によってカバー６０と前ウエスト域５とに区画される。このようなカバー６０は、カバー後端縁６５においてカバー折返し線６１によってシャーシ２０と一体的に連なる連続部を形成し、カバー前端縁６４においてシャーシ前端縁２５によってシャーシ２０から離間可能な離間部を形成する。
【００２６】
カバー６０を形成する外面シート２２の反対外面である着衣側には、メカニカルファスナのフック６２が形成され、前ウエスト域５の外面シート２２には、メカニカルファスナのループ６３が形成され、これらフック６２とループ６３とが着脱可能となって係合部を形成している。カバー６０は、その縦方向Ｙの長さ寸法を、少なくとも第１および第２紐部４１，４２の幅寸法よりも大きくして、これらを覆うことができるようにしている（図２参照）。
【００２７】
上記のようなおむつ１を着用者に着用させるには、図１に示したように、シャーシ２の後ウエスト域６を着用者の背中および臀に、クロッチ域７が股に、前ウエスト域５が腹にそれぞれ位置するように、このシャーシ２を着用者にあてがう。シャーシ２を着用者にあてがったら、一対のウエスト紐４０を前ウエスト域５の着衣側へとそれぞれ回し、これらウエスト紐４０を互いに結んで、シャーシ２を着用者に固定させる。
【００２８】
ウエスト紐４０を互いに結んだら、図２に示したように、カバー６０をカバー折返し線６１に沿って前ウエスト域５の着衣側に折り返し、カバー６０のフック６２と、前ウエスト域５のループ６３とを係合させる。
このようにカバー６０でウエスト紐４０を覆うことができるので、ウエスト紐４０に着用者の手などが引っかかることがない。特にこの実施形態では、ウエスト紐４０は、第１および第２紐部４２を含み、これらが縦方向Ｙに離間しているから、着用者が引っかかりやすくなるが、これを防止することができる。また、ウエスト紐４０の結び目を覆うことができるので、着用者が乳幼児であった場合には、おむつ１の着脱時以外に着用者が自らウエスト紐４０の結び目を解いてしまうのを防止することができる。
【００２９】
カバー６０は、その縦方向Ｙの上方においてはカバー折返し線６１によって、下方においてはフック６２とループ６３との係合によって、ウエスト紐４０が上下にずれるのを規制することができる。したがって、排尿等によってクロッチ域が重くなり、おむつ１が縦方向Ｙの下方に移動しようとした場合であっても、この移動を抑制することができる。おむつ１が下方に移動するのを抑制することができるので、おむつ１と着用者の鼠蹊部とに隙間が形成されるのを防止することができ、この隙間からの尿等の漏れを抑制することができる。
【００３０】
カバー折返し線６１は、折り代を特別に設けなくても、吸液構造体３０および内面シート２１の剛性によって吸液前端縁３６あるいは内面シート２１の内面前端縁２１ｃに沿って折返し可能とすることができる。また、カバー折返し線６１によってカバー６０を区画することとしているので、外面シート２２とカバー６０との間で、その横方向Ｘにおける幅寸法が同一となり、これらの間に段差が生じることがない。外面シート２２とカバー６０との間の横方向Ｘの段差が生じると、段差部分が着用者の肌に当接し、肌トラブルを引き起こしかねない。しかし、この実施形態ではこれら段差部分がないので、段差部分が当接することによる肌トラブルを防止することができる。
【００３１】
ウエスト紐４０は、第１紐部４１と第２紐部４２とを含むこととしたので、これら第１および第２紐部４１，４２を形成する内外側切断線４３，４４の後端４３ｂ，４４ｂからシャーシ後端縁２６までの離間距離を変えることによって、基端縁４５での第１および第２紐部４１，４２の接続位置が、縦方向Ｙにずれるように離間して並ぶ。シャーシ後端縁２６から外側切断線４４の後端４４ｂまでの離間距離よりも、内側切断線４３の後端４３ｂまでの離間距離の方を長くしたので、外側切断線４４で形成される第２紐部４２が、内側切断線４３で形成される第１紐部４１よりも実質的に長くなる。しかも、外側切断線４４の方が後端縁２６に対して深く切りこみが入ることになり、おむつ１を着用した際には、第２紐部４２が第１紐部４１よりもシャーシ後端縁２６側に位置するようになる。
【００３２】
おむつ１の着用時において、第２紐部４２がシャーシ後端縁２６側に位置し、第１紐部４１が第２紐部４２よりもシャーシ前端縁２７側に位置することによって、第２紐部４２で着用者の臍に近い位置を締め付け、第１紐部４１で着用者の脚の付け根に近い部分を締め付けることができる。このように、縦方向Ｙの上下に相違する二箇所でおむつ１を着用者に対して締め付けることができるので、特におむつ１が縦方向Ｙにずれるのをより一層抑制することができる。
【００３３】
また、第１および第２紐部４１，４２によって、着用者に対して縦方向Ｙに広い領域で締め付けることができるので、その分広い面積でおむつ１を着用者に密着させることができ、尿等の漏れを防止することができる。特に、幼児は成長が早く、以前のサイズのおむつがすぐに小さくなってしまうということがあるが、第１および第２紐部４１，４２を設けることによって、縦方向Ｙにおけるサイズ調整が可能となる。また、体の大きな着用者に対しておむつ１を着用させる場合であっても、広い領域で前後ウエスト域５，６を着用者に密着させることが可能となる。ウエスト紐４０の縦方向Ｙの上方に位置する第１紐部４１は、着用者に対する密着および、鼠蹊部における隙間形成の防止を考慮すれば、着用者のウエスト近傍に位置し、下方に位置する第２紐部４２は、着用者の脚の付け根の近傍に位置することが望ましい。
【００３４】
第１および第２紐部４１，４２は、第１および第２紐弾性部材４７，４８によって長手方向に弾性化されているので、第１および第２紐部４１，４２を長手方向に引っ張りながら結ぶことによって、第１および第２紐部４１，４２の収縮によって前後ウエスト域５，６を着用者に密着させることができる。また、第１および第２紐部４１，４２を弾性化することによって、着用者のウエストの変化に第１および第２紐部４１，４２が追従することができる。すなわち、特に幼児の場合には、食事の前後でウエストの大きさが変化するが、これによっておむつが苦しくなったり、緩くなったりするのを抑制することができる。
【００３５】
ウエスト紐４０の自由端縁４６には、第１および第２紐弾性部材４７，４８の弾性力を作用させないようにしているので、自由端縁４６に第１および第２紐弾性部材４７，４８によって皺が発生することがない。自由端縁４６に皺が発生しないので、この自由端縁４６を指でつまみやすく、ウエスト紐４０を互いに結びやすい。
【００３６】
第１および第２紐部４１，４２は、シャーシ２０を形成する外面シート２２を内外側切断線４３，４４で切断するだけで形成することができ、しかも基端縁４５において第１および第２紐４１，４２を前ウエスト域５に接合することができるので、他の紐を別途接合手段を用いてシャーシ２０に取り付けるのに比べて製造が容易である。しかも、シャーシ２０の縦方向Ｙをシャーシ２０の製造工程における機械方向としておむつ１を製造した場合には、機械方向と同方向で内外側切断線４３，４４が形成され、かつ、機械方向と各弾性部材の伸長方向とが一致する。すなわち、これらすべての作業が同方向で行うことができるので、おむつ１の製造が容易かつ安価で行うことができる。
【００３７】
また、外面シート２２を形成する繊維不織布は、その構成繊維の配向割合が横方向Ｘよりも縦方向Ｙにおいて高いものが好ましい。外面シート２２として前記繊維不織布に替えて、プラスチックフィルムまたはこれと前記繊維不織布とのラミネートシートを用いることもできるが、この場合、プラスチックフィルムは、その分子の配向割合が横方向Ｘよりも縦方向Ｙにおいて高いものが好ましい。前記繊維および分子の配向が、内外側切断線４３，４４に沿って外面シート２２を切断する方向と一致することで、その切断操作が容易となるからである。
【００３８】
ウエスト紐４０は、第１および第２紐部４１，４２の二本の紐部によって形成しているが、これが三本以上の紐部によって形成されることとしてもよい。
カバー６０を前ウエスト域５の着衣側に係合するための手段としてメカニカルファスナのフック６２とループ６３とを用いているが、これに限ったものではなく、例えば粘着テープ等の一般的な係合手段を用いることもできる。また、フック６２をシャーシが形成される繊維不織布等に直接係合することとした場合には、ループ６３を特別に設けなくてもよい。
第１ウエスト域に後ウエスト域６が対応し、第２ウエスト域に前ウエスト域５が対応するようにしているが、これが反対になってもよい。
【００３９】
＜第２の実施形態＞
図５および６は、この発明の第２の実施形態を示したものである。図５は、おむつ１の着用状態を示した図１と同様の図であり、図６は、おむつ１の平面図を示した図４と同様の図である。この第２の実施形態では、カバー６０は、外面シート２２とは別のシートを用いて形成する点に特徴を有する。この特徴以外の構成は、第１の実施形態と同様であるので、その詳細な説明を省略する。
【００４０】
外面シート２２の前ウエスト域５の着衣側には、外面シート２２とは別体のシートによって形成されたカバー６０を形成している。カバー６０は、カバー前端縁６４を外面シート２２に接合手段６６を介して接合し連続部を形成し、カバー後端縁６５を外面シート２２から離間可能にフリーな状態にして離間部を形成している。このカバー後端縁６５であって、カバー６０の身体側には、フック６２を形成し、フック６２に係合可能なループ６３を外面シート２２に形成している。これらフック６２とループ６３とによって、係合部を形成している。このようなおむつ１において、カバー前端縁６４とループ６３との間でウエスト紐４０を互いに結び、結んだウエスト紐４０の着衣側から、このウエスト紐４０を覆うようにしてカバー６０をかぶせ、フック６２とループ６３とを係合させる。
【００４１】
カバー６０は、外面シート２２とは別の部材としているので、このカバー６０として、種々の材料を選択することができる。また、カバー６０を種々の大きさに設定することができる。すなわち、選択するシート材料や大きさによって、カバー６０の強度を変更したり、コストの削減を図ったりすることが可能となる。
【００４２】
＜第３の実施形態＞
図７および８は、この発明の第３の実施形態を示したものである。図７は、おむつ１の着用状態を示した図１と同様な図であり、図８は、おむつ１の平面図であって図４と同様な図である。この第３の実施形態では、前ウエスト域５の外面シート２２の一部を切断することによってカバー６０を形成する点に特徴を有する。この特徴以外の構成は、第１の実施形態と同様であるので、その詳細な説明を省略する。
【００４３】
前ウエスト域５の外面シート２２には、ミシン目によって形成されたカバー切断線が形成されている。この発明において、「ミシン目」とは、シートに点線状に切り込み目を入れた切り目または点線状に孔またはスリットを穿った目を意味し、その目が概して点線状に列設されており、シートをその点線状の目の列を介して連続的に引き裂くことができるものである。カバー切断線は、縦Ｙ方向に延びる両側縁部６７，６７と、横方向に延びる端縁部６８とを含む。端縁部６８は、両側縁部６７，６７を結ぶ線に沿って形成され、この端縁部６８によってカバー後端縁６５を形成するとともに、シャーシ２０と離間可能な離間部を形成している。カバー後端縁６５に対向するカバー前端縁６４は、シャーシ２０と一体的に連なって、連続部を形成している。
【００４４】
外面シート２２吸液構造体３０の漏れ防止シート３３との間には、中間シート７０が形成され、両側縁部６７，６７および端縁部６８に沿って外面シート２２を切裂き、これをシャーシ２０側から離間させるように持ち上げると、その外面シート２２の身体側から中間シート７０が露出される。
カバー６０の身体側、すなわちカバー切断線によって切断された外面シート２２の身体側には、メカニカルファスナのフック６２を形成し、露出した中間シート７０には、フック６２と係合する係合領域７１を形成している。中間シート７０は繊維不織布によって形成され、フック６２に係合可能なループ機能を発揮することができる。したがって、係合領域７１では、特別にループ等を形成することなく、フック６２に係合可能となり、これらフック６２と係合領域７１とによって係合部を形成している。
【００４５】
おむつ１を着用させるときに、カバー切断線の両側縁部６７，６７および端縁部６８に沿って外面シート２２を引き裂き、カバー６０を形成する。このカバー６０を形成する外面シート２２と、露出された中間シート７０との間で、ウエスト紐４０を結ぶ。ウエスト紐４０を結んだら、ウエスト紐４０の着衣側からカバー６０をもとの位置に戻し、フック６２を係合両域７１に係合させる。このようにカバー６０を形成することによって、結んだウエスト紐４０を覆うことができ、フック６２とループ６３とを係合させることによって、ウエスト紐４０の縦方向Ｙの移動を規制することができる。
【００４６】
この実施形態では、カバー６０として特別の部材を必要とすることなく、外面シート２２をカバー６０として利用することができる。例えば、外面シート２２にフック６２を取り付け、ミシン目を形成してから、外面シート２２を中間シート７０と積層することによって、この実施形態のおむつ１を実現することができる。
【００４７】
外面シート２２と吸液構造体３０との間に中間シート７０を形成することとしたが、この中間シート７０を形成することなく、吸液構造体３０が直接露出されるようにしてもよい。この場合には、漏れ防止シート３３にフック６２に係合可能なループ６３を取り付けることができる。また、切断線をミシン目によって形成することとしているが、これが始めから切断された状態であってもよい。また、カバー６０のカバー前端縁６４がシャーシ２に離間可能とされ、カバー後端縁６５がシャーシ２に固定されることとしているが、第１および第２実施形態のように、カバー前端縁６４をシャーシ２に固定し、カバー後端縁６５がシャーシ２から離間可能となるようにしてもよい。
【００４８】
＜第４の実施形態＞
図９は、この発明の第４の実施形態を示したものであり、おむつ１の着用状態を示した図１と同様な図である。この第４の実施形態では、カバー６０の身体側であって外面シート２２に、ウエスト紐４０を保持する紐保持部を形成したことを特徴とする。この特徴以外の構成は、第１の実施形態と同様であるので、その詳細な説明を省略する。
【００４９】
前ウエスト域５の外面シート２２には、第１および第２紐部４１，４２を通すための一対の紐保持部５１，５２を形成している。具体的には、紐保持部５１，５２は、縦方向Ｙに延びる一対のスリット５３，５４によって、それぞれ形成される。スリット５３，５４は、外面シート２２を厚さ方向に貫通し、その縦方向Ｙの長さ寸法は、第１および第２紐部４１，４２の横方向Ｘの長さ寸法の和、すなわちウエスト紐４０全体の横方向Ｘの長さ寸法よりも大きくしている。紐保持部５１，５２は、縦中心線Ｐ−Ｐを介して横方向Ｘに対向し、縦中心線Ｐ−Ｐからほぼ等しい距離に離間している。紐保持部５１，５２は、吸液構造体３０と重なる位置に形成されている。
【００５０】
カバー６０は、カバー折返し線６１から前ウエスト域５の着衣側へと折り返したときに、スリット５３，５４よりも縦方向Ｙの下方に位置する長さ寸法を有している。カバー６０にはフック６２を形成し、外面シート２２にはフック６２に係合可能なループ６３を形成し、これらを係合部としているが、ループ６３は、スリット５３，５４よりも縦方向Ｙの下方に位置させている。このようなループ６３とフック６２とを係合させると、ウエスト紐４０の結び目および、スリット５３，５４とが、カバー６０によって覆われる。
【００５１】
このようなおむつ１において、ウエスト紐４０は、紐保持部５１，５２のスリット５３，５４に通し、これら紐保持部５１，５２の間、すなわち縦中心線Ｐ−Ｐ近傍で結ぶ。このように紐保持部５１，５２を形成することによって、ウエスト紐４０の第１および第２紐部４１，４２を弾性化し、第１および第２紐部４１，４２に皺が生じた場合には、この皺によって紐保持部５１，５２にウエスト紐４０が引っかかり、ウエスト紐４０が紐保持部５１，５２からの抜けを防止することができる。紐保持部５１，５２を縦中心線Ｐ−Ｐに対して離間対向するようにしているので、これら横方向Ｘの外側から内側へとウエスト紐４０を通した場合には、これらウエスト紐４０の結び目は、紐保持部５１，５２の間、すなわち、縦中心線Ｐ−Ｐの近傍に位置することになる。このように縦中心線Ｐ−Ｐの近傍に結び目が来るようにすることによって、一対のウエスト紐４０を均等に引っ張ることができ、いずれか一方の紐が強く引っ張られるのを防止することができる。いずれか一方のみが強く引っ張られたときには、弾性部材の伸長応力が大きくなり、一方の締め付け力が強くなってしまい、肌に対する刺激や違和感が大きくなる。
【００５２】
紐保持部５１，５２を形成することによって、ウエスト紐４０の縦方向Ｙへの移動を規制することができるから、より一層おむつ１のずれ下がりを抑制することができる。また、紐保持部５１，５２をスリット５３，５４によって形成し、この紐保持部５１，５２をカバー６０によって覆っているので、スリット５３，５４に着用者の手足が引っかかるのを防止することもできる。
【図面の簡単な説明】
【００５３】
【図１】おむつの着用状態の斜視図。
【図２】おむつの着用状態の斜視図。
【図３】おむつの展開図であって身体側から見た図。
【図４】おむつの展開図であって着衣側から見た図。
【図５】第２の実施形態であっておむつの着用状態の斜視図。
【図６】第２の実施形態であって着衣側から見た展開図。
【図７】第３の実施形態であっておむつの着用状態の斜視図。
【図８】第３の実施形態であって着衣側から見た展開図。
【図９】第４の実施形態であっておむつの着用状態の斜視図。
【符号の説明】
【００５４】
１    おむつ（着用物品）
５    前ウエスト域（第２ウエスト域）
６    後ウエスト域（第１ウエスト域）
７    クロッチ域
２０    シャーシ
２３    シャーシ側縁
２４    シャーシ側縁
２５    シャーシ前端縁（第２端縁）
２６    シャーシ後端縁（第１端縁）
２７    レッグ弾性部材
３０    吸液構造体
４０    ウエスト紐
４１    第１紐部
４２    第２紐部
５１    紐保持部
５２    紐保持部
６０    カバー
６１    カバー折曲線
６２    フック（係合部）
６３    ループ（係合部）
６４    カバー前端縁
６５    カバー後端縁
６７    側縁部（カバー切断線）
６８    端縁部（カバー切断線）
【図１】
2010082257.tif 000003
【図２】
2010082257.tif 000004
【図３】
2010082257.tif 000005
【図４】
2010082257.tif 000006
【図５】
2010082257.tif 000007
【図６】
2010082257.tif 000008
【図７】
2010082257.tif 000009
【図８】
2010082257.tif 000010
【図９】
2010082257.tif 000011